(57)【特許請求の範囲】
【請求項１】
本体と、前記本体内に着脱自在に収納される鍋と、前記本体内に設けられ前記鍋を加熱する加熱手段と、前記本体の上面開口部を覆い開閉自在に設けた蓋とを備え、前記本体の外郭は外側を金属材で構成し、内側を絶縁材で構成してなる炊飯器。
【請求項２】
本体の外郭は、外側の金属材と内側の絶縁材を一体化して構成した請求項１記載の炊飯器。
【請求項３】
本体の外郭は、外側の金属材と内側の絶縁材との間に隙間を設けて構成した請求項１記載の炊飯器。
【請求項４】
外側の金属材と内側の絶縁材との間に断熱材を設けた請求項２記載の炊飯器。
【請求項５】
本体を上枠と下枠に２分割し、外側の金属材を前記上枠と前記下枠で挟持した請求項１または３記載の炊飯器。
【発明の詳細な説明】
【０００１】
【発明の属する技術分野】
本発明は、一般家庭、あるいは業務用に使用する炊飯器に関するものである。
【０００２】
【従来の技術】
近年、炊飯器はコンパクト化され、例えば図５に示されるような構成であった。図５において、１は本体で、上面が開口し、この本体１内部に鍋２の収納部である保護枠３が配設され、この保護枠３の外側に鍋２を誘導加熱するための加熱コイル４及び、制御回路５設けら、本体１と加熱コイル４及び制御回路５との距離を最小限にしてコンパクト化している。保護枠３の底部には鍋２の温度を検知する温度検知センサー６が設けられ、この温度検知センサー６の温度検知により加熱コイル４の通電を制御してご飯の炊き上げ及び保温を行なう。
【０００３】
７は本体１の上面開口部を覆う蓋で、この蓋７は本体１の上部を構成する上枠８の上部に一体成形されたヒンジ部材９にピン１０を介して回動自在に支持されている。１１は外蓋カバーで、この外蓋カバ１１は蓋７の内側に固定されている。この外蓋カバ−１１の下面には放熱板ユニット１２が着脱自在に取付けられている。この放熱板ユニット１２の上部には外蓋カバー１１に支持されている蓋加熱手段である蓋加熱コイル１３が位置している。この蓋加熱コイル１３の電磁作用により放熱板ユニット１２を発熱することにより、炊飯時に上面から加熱してご飯全体を包み込むようにたき上げるとともに、保温時には上面からの加熱と鍋２の加熱手段である誘導コイル４の加熱により、ご飯の温度を均一に維持することができる。
【０００４】
１４は放熱板ユニット１２の温度を検知する蓋センサーで放熱板ユニット１２側に圧接するように設けられ、この蓋センサー１４の検知により蓋加熱コイル１３の通電を制御する。また、１５は蓋７の蒸気通路１６に着脱自在に設けられた蒸気筒である。
【０００５】
【発明が解決しようとする課題】
近年、お手入れ性の問題や、外観上の問題から金属製の本体が求められるようになってきている。しかしながら、上述の炊飯器では、コンパクト化しているため本体１を金属性にすると、制御回路５と本体１の絶縁距離を確保するために隙間を大きく取る必要があるため、本体１が大きくなってしまう。また、絶縁距離を確保していても、落下や外部からの力により本体１がへこんだ場合絶縁距離が確保できなくなるという問題があった。
【０００６】
本発明は、上記課題を解決するもので、本体の外郭を金属材で構成した安全でコンパクトな炊飯器を提供するものである。
【０００７】
【課題を解決するための手段】
上記課題を解決するために、本発明は、本体と、前記本体内に着脱自在に収納される鍋と前記本体内に設けられ前記鍋を加熱する加熱手段と、前記本体の上面開口部を覆い開閉自在に設けた蓋とを備え、前記本体の外郭は外側を金属材で構成し、内側を絶縁材で構成するものである。
【０００８】
【発明の実施の形態】
請求項１記載の発明は、本体と、前記本体内に着脱自在に収納される鍋と、前記本体内に設けられ前記鍋を加熱する加熱手段と、前記本体の上面開口部を覆い開閉自在に設けた蓋とを備え、前記本体の外郭は外側を金属材で構成し、内側を絶縁材で構成することにより、コンパクトな形状で絶縁を確保し安全性を高めて、お手入れ性及び外観の良い金属材で本体の外郭を構成することができる。
【０００９】
請求項２記載の発明は、本体の外郭を、外側の金属材と内側の絶縁材を一体化して構成することにより、お手入れ性及び外観の良い金属材の外郭で、加工性及び、組み立て性を向上することができる。
【００１０】
請求項３記載の発明は、外側の金属材と内側の絶縁材との間に隙間を設けて構成することにより、お手入れ性及び外観の良い金属材の外郭で、断熱性を向上させることができる。
【００１１】
請求項４記載の発明は、外側の金属材と内側の絶縁材との間に断熱材を設けることにより、さらに断熱性を向上させることができる。
【００１２】
請求項５記載の発明は、本体を上枠と下枠に２分割し、外側の金属材を前記上枠と前記下枠で挟持することにより、金属材のみを簡単に分離出来、分解性及び、リサイクル性を良くすることが出来る。
【００１３】
【実施例】
（実施例１）
本発明の一実施例について、図１を用いて説明する。
【００１４】
図１において、本体１７は、上面が開口し、この本体１７内部に鍋１８の収納部である保護枠１９が配設され、この保護枠１９の外側に加熱手段が設けられている。本実施例では、加熱手段として鍋１８を誘導加熱するための加熱コイル２０及び、制御回路２１が設けられている。保護枠１９の底部には鍋１８の温度を検知する温度検知センサー２２が設けられ、この温度検知センサー２２の温度検知により制御回路２１で加熱コイル２０の通電を制御してご飯の炊き上げ及び保温を行なう。
【００１５】
２３は本体１７の上面開口部を覆う蓋で、この蓋２３は本体１７の上部を構成する上枠２４の上部に一体成形されたヒンジ部材２５にピン２６を介して回動自在に支持されている。２７は外蓋カバーで、この外蓋カバー２７は蓋２３の内側に固定されている。この外蓋カバ−２７の下面には放熱板ユニット２８が着脱自在に取付けられている。この放熱板ユニット２８の上部には外蓋カバー２７に支持されている蓋加熱手段である蓋加熱コイル２９が位置している。この蓋加熱コイル２９の電磁作用により放熱板ユニット２８を発熱することにより、炊飯時に上面から加熱してご飯全体を包み込むようにたき上げるとともに、保温時には上面からの加熱と鍋１８の加熱手段である誘導コイル２０の加熱により、ご飯の温度を均一に維持することができる。
【００１６】
３０は放熱板ユニット２８の温度を検知する蓋センサーで放熱板ユニット２８側に圧接するように設けられ、この蓋センサー３０の検知により蓋加熱コイル２９の通電を制御する。また、３１は蓋２３の蒸気通路３２に着脱自在に設けられた蒸気筒である。
【００１７】
本体１８は上面開口部を形成する上枠２４と、底面を構成する下枠３４とで構成され、さらに、本体１８の外郭の外側は、ステンレスあるいはカラー鋼板等の金属材で構成された外側部材３５、内側は絶縁材で構成された内側部材３６からなっている。内側部材３６は下枠３４を一体化して構成している。金属材で構成された外側部材３５の内側に絶縁材で構成された内側部材３６を配しているため、本体１８内の充電部である加熱コイル２０や制御回路２１との距離を小さく出来、本体１８をコンパクト化出来るとともに、落下や、外部からの力により本体１８の外郭である外側部材３５が変形して凹んでも金属材で構成された外側部材３５が充電部に触れる事もないため安全である。
【００１８】
本実施例では、内側部材３６と下枠３４を一体化して構成しているが、内側部材３６は上枠２４と一体化してもよく、また、上枠２４、下枠３４とは別部材として設けても良い。
【００１９】
（実施例２）
次に、第２の実施例について図２を用いて説明する。図２は本体１７の外郭部分のみを示す図である。図２において、本体１７の外郭は金属材の外側部材３７と絶縁材の内側部材３８が一体に形成されている。そのため、外側部材３７と内側部材３８の厚みを最小限にする事が出来、さらに本体１７をコンパクト化する事が出来る。
【００２０】
外側部材３７と内側部材３８を一体に形成する手段としては絶縁部材の内側部材３８を合成樹脂としインサート成形する方法や、外側部材３７に内側部材３８を貼り付ける構成としても良い。
【００２１】
また、本実施例では外郭の側面部から底全体を外側部材３７で覆っているが、図１のように、外郭の側面部のみに外側部材３７を一体に形成しても良い。
【００２２】
（実施例３）
次に、第３の実施例について図３を用いて説明する。図３において、金属材からなる外側部材３９と絶縁材からなる内側部材４０との間には隙間４１を設けている。隙間４１を設けることにより空気の静止層を構成し、断熱効果を高めて消費電力量を減らすことが出来る。また、外側部材３９は本体１７の上面開口部を構成する上枠４２と底面を構成する下枠４３とで挟持した構成としている。この構成により、下枠４３を外せば金属材で出来た外側部材３９を簡単に分離することが出来、分解性及びリサイクル性こ向上することが出来る。
【００２３】
（実施例４）
最後に、第４の実施例について図４を用いて説明する。図４において、金属材からなる外側部材４４と絶縁材からなる内側部材４５との間に断熱材４６を設けている。この構成により、断熱材４６を簡単に保持することが出来、コンパクトで安全性の高い構成で断熱効果を高めることが出来る。
【００２４】
【発明の効果】
以上のように、請求項１記載の発明によれば、コンパクトな形状で絶縁を確保し安全性を高めて、お手入れ性及び外観の良い金属材で本体の外郭を構成することができる。
【００２５】
また、請求項２記載の発明によれば、本体の外郭を、外側の金属材と内側の絶縁材を一体化して構成することにより、お手入れ性及び外観の良い金属材の外郭で、加工性及び、組み立て性を向上することができる。
【００２６】
また、請求項３記載の発明によれば、特に、外側の金属材と内側の絶縁材との間に隙間を設けて構成することにより、お手入れ性及び外観の良い金属材の外郭で、断熱性を向上させることができる。
【００２７】
また、請求項４記載の発明によれば、特に、外側の金属材と内側の絶縁材との間に断熱材を設けることにより、さらに断熱性を向上させることができる。
【００２８】
また、請求項５記載の発明によれば、特に、本体を上枠と下枠に２分割し、外側の金属材を前記上枠と前記下枠で挟持することにより、金属材のみを簡単に分離出来、分解性及び、リサイクル性を良くすることが出来る。
【図面の簡単な説明】
【図１】本発明の実施例１の炊飯器の断面図
【図２】本発明の実施例２の炊飯器の本体外郭部分のみを示す断面図
【図３】本発明の実施例３の炊飯器の本体外郭部分を示す断面図
【図４】本発明の実施例４の炊飯器の本体外郭部分を示す断面図
【図５】従来の炊飯器の断面図
【符号の説明】
１７    本体
１８    鍋
２０    加熱コイル
２３    蓋
３３、４２    上枠
３４、４３    下枠
３５、３７、３９、４４    外側部材
３６、３８、４０、４５    内側部材
４１    隙間
４６    断熱材
【図１】
0003596457.tif 000002
【図２】
0003596457.tif 000003
【図３】
0003596457.tif 000004
【図４】
0003596457.tif 000005
【図５】
0003596457.tif 000006